(57)【要約】      （修正有）【課題】ユーザが必要とする情報だけをユーザが望むタイミングと確実な露出度で配信すると共に簡単な操作と費用負担なしにユーザのホームページを作成できるシステムを提供する。【解決手段】インターネット１を介してシステム管理者のシステムサーバ２と情報提供者のＷｅｂサーバ３を接続し、情報提供者のホームページを訪問したユーザのＰＣ４に情報提供者のコンテンツや広告関連情報を自動配信すると共に、ミニホームページを介してユーザ間のコミュニケーションインタフェースを提供する。システムサーバ２は、ＬＡＮ５を介してコンテンツサーバ２１、広告サーバ２２、統計サーバ２３、アップデートサーバ２４、ホームページサーバ２５を接続する。ホームページサーバ２５は、ユーザのミニホームページ作成のために必要な空間を提供する。【選択図】図１
2006195843.tif 000002
【特許請求の範囲】
【請求項１】
インターネットを介してシステム管理者のシステムサーバと情報提供者のＷｅｂサーバを接続し、
このＷｅｂサーバを介して利用規約に同意したインターネットユーザのＰＣに情報提供者の常駐プログラムを設置し、
この常駐プログラムに、
前記システムサーバにアクセスして情報提供者のコンテンツを取得する取得手段と、
取得したコンテンツのウインドウを参加ユーザのＰＣ画面に表示する表示手段と、
前記情報提供者のスキン内で参加ユーザのミニホームページを作成する作成手段と、
作成したミニホームページを前記システムサーバに保存する保存手段と、
前記システムサーバにアクセスして保存したミニホームページを検索する検索手段と、
検索したミニホームページのウインドウを参加ユーザのＰＣ画面に表示する表示手段と、
を備えて成ることを特徴とするコンテンツ配信システム。
【請求項２】
前記システムサーバには情報提供者のコンテンツを配信するコンテンツサーバ、広告関連情報を配信する広告サーバ、情報提供者に提供する統計データを管理する統計サーバ、常駐プログラムを設置・更新するためのアップデートサーバおよびミニホームページ作成のための空間を提供するホームページサーバが含まれることを特徴とする請求項１記載のコンテンツ配信システム。
【請求項３】
前記ＰＣ画面に表示するコンテンツのウインドウは全てのウインドウの背面に位置付けて表示されることを特徴とする請求項１記載のコンテンツ配信システム。
【請求項４】
前記ＰＣ画面に表示するコンテンツのウインドウのスキンは任意に設定可能であることを特徴とする請求項１記載のコンテンツ配信システム。
【請求項５】
前記ＰＣ画面に表示するコンテンツのウインドウはスキンエリアに広告表示が可能であることを特徴とする請求項１記載のコンテンツ配信システム。
【請求項６】
前記ＰＣ画面に表示するコンテンツのウインドウは情報提供者のホームページへのリンクが可能であることを特徴とする請求項１記載のコンテンツ配信システム。
【請求項７】
前記取得手段が取得するコンテンツはカテゴリ選択が可能であることを特徴とする請求項１記載のコンテンツ配信システム。
【請求項８】
前記取得手段が取得するコンテンツは取得時間設定が可能であることを特徴とする請求項１記載のコンテンツ配信システム。
【請求項９】
前記取得手段が取得するコンテンツは新規メッセージ到着時に参加ユーザのＰＣ画面の右側下段にスライドとステータスバーにて報知されることを特徴とする請求項１記載のコンテンツ配信システム。
【請求項１０】
前記常駐プログラムは削除可能であることを特徴とする請求項１記載のコンテンツ配信システム。
【請求項１１】
前記システムサーバには利用規約に同意した参加ユーザの個人情報が保管されないことを特徴とする請求項１記載のコンテンツ配信システム。
【請求項１２】
前記ミニホームページのスキンはテンプレート選択が可能であることを特徴とする請求項１記載のコンテンツ配信システム。
【請求項１３】
前記ミニホームページはアルバムに登録した画像をデータに付加するアルバム機能を通して多様なマルチメディアコンテンツを形成可能であることを特徴とする請求項１記載のコンテンツ配信システム。
【請求項１４】
前記ミニホームページの作成・更新・閲覧は参加ユーザのＩＤ・パスワードを入力してログインするＡｄｍｉｎ機能を通して管理されることを特徴とする請求項１記載のコンテンツ配信システム。
【請求項１５】
前記統計データには参加ユーザ数／削除ユーザ数、利用規約の同意者数／非同意者数、受信設定者数／受信解除者数、１日の利用者数が含まれることを特徴とする請求項２記載のコンテンツ配信システム。
【請求項１６】
前記カテゴリにはニュース、株価・為替情報、チケット販売情報、ショッピング情報、企業のイベント・キャンペーン情報、新商品情報、旅行情報、時刻表情報が含まれることを特徴とする請求項７記載のコンテンツ配信システム。
【発明の詳細な説明】
【技術分野】
【０００１】
本発明は、インターネットユーザに情報提供者のコンテンツや広告関連情報を自動配信すると共に、ミニホームページを介してユーザ間のコミュニケーションインタフェースを提供するコンテンツ配信システムに関する。
【背景技術】
【０００２】
近年、ブロードバンド、常時接続が一般化する中、インターネットの利用は既に生活の一部となり、今後はインターネット上に氾濫する情報の中からネットサーフィンやウェブサーフィンなしにユーザの必要とする情報をいかに効率よく検索してタイムリーにユーザに伝達できるかがインターネット利用技術の最重要課題になりつつある。
また、情報提供者の立場で見れば継続的なユーザとのコミュニケーションツールとしてインターネットを活用でき、ユーザが情報を探しに来るのを待つのではなく、情報提供者から送りたいときに送りたい情報を略１００％の露出度でユーザに送れるようになることが期待されている。
【０００３】
一方、インターネットを利用するユーザにとって特定の趣味（映画や音楽）などに特化した自分の関心分野に関する情報を広く同好者から得たり、自分の情報を広く同好者に発信したいという欲求が強くある。
そのためには自分のホームページを作る必要があるが、ＨＴＭＬやプログラムに詳しくないユーザにとっては大変な作業となり、ホームページを維持・管理するための費用もかかってしまう。
【発明の開示】
【発明が解決しようとする課題】
【０００４】
解決しようとする問題点は以上のような点であり、本発明は、ユーザが必要とする情報だけをユーザが望むタイミングと確実な露出度で配信すると共に簡単な操作と費用負担なしにユーザのホームページを作成できるシステムを提供することを目的になされたものである。
【課題を解決するための手段】
【０００５】
そのため本発明は、インターネットを介してシステム管理者のシステムサーバと情報提供者のＷｅｂサーバを接続し、このＷｅｂサーバを介して利用規約に同意したインターネットユーザのＰＣに情報提供者の常駐プログラムを設置し、この常駐プログラムに、前記システムサーバにアクセスして情報提供者のコンテンツを取得する取得手段と、取得したコンテンツのウインドウを参加ユーザのＰＣ画面に表示する表示手段と、前記情報提供者のスキン内で参加ユーザのミニホームページを作成する作成手段と、作成したミニホームページを前記システムサーバに保存する保存手段と、前記システムサーバにアクセスして保存したミニホームページを検索する検索手段と、検索したミニホームページのウインドウを参加ユーザのＰＣ画面に表示する表示手段とを備えて成ることを最も主要な特徴とする。
【発明の効果】
【０００６】
本発明は、ユーザの望むカテゴリの情報をユーザの設定した時間間隔で配信するので、ユーザが必要とする情報だけを確実な露出度でタイムリーに提供できるようになる。
また、ユーザのホームページを簡単な操作で専門的な知識なしに作成できるので、他のユーザに自分の情報を発信してコミュニケーションを行うコミュニティを容易に形成できるようになる。
そのため、情報提供者の立場ではユーザに対して自然に情報と広告を伝達できる機会が付与され、ユーザとの間で継続的な情報サービスを安定的に確保できる双方向のコンテンツ配信システムを構築できるようになる。
【発明を実施するための最良の形態】
【０００７】
以下、本発明の実施の形態について説明する。
【０００８】
図１に、本発明を実施したコンテンツ配信システムの構成図を示す。
コンテンツ配信システムは、インターネット１を介してシステム管理者のシステムサーバ２と情報提供者のＷｅｂサーバ３を接続し、情報提供者のホームページを訪問したユーザのＰＣ４に情報提供者のコンテンツや広告関連情報を自動配信すると共に、ミニホームページを介してユーザ間のコミュニケーションインタフェースを提供する。
システムサーバ２は、ＬＡＮ５を介してコンテンツサーバ２１、広告サーバ２２、統計サーバ２３、アップデートサーバ２４、ホームページサーバ２５を接続する。
コンテンツサーバ２１は、ユーザが選択したニュース、株価・為替情報、チケット販売情報、ショッピング情報、企業のイベント・キャンペーン情報、新商品情報、旅行情報、時刻表情報などのカテゴリに属する情報提供者のコンテンツを配信する。
広告サーバ２２は、コンテンツと一緒に多様な広告ができる広告関連情報を配信する。
統計サーバ２３は、情報提供者に提供するシステム運営に必要な参加ユーザ数／削除ユーザ数、利用規約の同意者数／非同意者数、受信設定者数／受信解除者数、１日の利用者数などの統計データを管理する。
アップデートサーバ２４は、ユーザのＰＣ４にダウンロードした常駐プログラムが変更になる場合に必要なアップデートモジュールを配信する。
ホームページサーバ２５は、ユーザのミニホームページ作成のために必要な空間を提供する。
【０００９】
図２に、本発明を実施したコンテンツ配信システムの登録処理の流れ図を示す。
まず、ユーザがコンテンツサービスを受けたい情報提供者のＷｅｂサイトにアクセスしてホームページを開き（ステップ１０１）、必要なコンテンツのカテゴリを選択する（ステップ１０２）。これにより、ユーザの必要とする情報だけが配信されるようになる。
次に、ユーザのＰＣ４にＰＵＬＬ型のコンテンツ取得を自動で行う常駐プログラムが既に設置されているかどうかを判定し（ステップ１０３）、設置されていなければアップデートサーバ２４からユーザのＰＣ４に常駐プログラムをダウンロードして設置する（ステップ１０４）。既に常駐プログラムが設置されている場合はこの過程は省略される。
このように、ユーザのＰＣ４に常駐プログラムを設置することにより、ＰＵＬＬ型からＰＵＳＨ型へのアクセス変換が可能になる。
常駐プログラムはいつでも希望する時点で削除が可能で、これにより同一メッセージを大量に受信するなどのスパムを防止できる。
また、常駐プログラムはメールアドレスなどの個人情報を登録しなくても設置可能で、これにより個人情報保護の観点から情報提供者に対する安全性を確保できる。
【００１０】
次に、常駐プログラムがコンテンツ取得時間になったかどうかを判定し（ステップ１０５）、コンテンツ取得時間であればコンテンツサーバ２１に接続して必要なコンテンツを取得し（ステップ１０６）、ユーザのＰＣ４画面に取得したコンテンツのウインドウを表示する（ステップ１０７）。
このとき表示されるコンテンツのウインドウのスキンは情報提供者のＷｅｂサイト毎に自由にデザインすることができる。
また、このとき表示されるコンテンツのウインドウのスキンエリアには自由に広告情報を表示することができる。
また、このときユーザのＰＣ作業を邪魔しないようにコンテンツのウインドウは全てのウインドウの背面に表示される。
また、このときユーザのＰＣ４画面の右側下段にスライドとステータスバーによって新規メッセージの到着が報知される。
以上の過程を経てユーザがコンテンツサーバ２１から配信されたコンテンツの内容を閲覧できるようになる。
ここで、ユーザが画面に表示されたコンテンツを詳しく見たい場合はコンテンツ情報のリンクスイッチをクリックしてさらに詳しい情報が見られる情報提供者のホームページを開くことができる。
以上の過程が終わるとユーザが一般的なＰＣ作業ができる状態に戻る。
【００１１】
図３に、本発明を実施したミニホームページの作成処理の流れ図を示す。
まず、ユーザが報提供者のＷｅｂサイトにアクセスしてホームページを開き（ステップ２０１）、ミニホームページの申請手続きを行う（ステップ２０２）。
ここで、利用規約の同意、ユーザのメールアドレスやＩＤ、パスワードの登録が必要な場合はこれらのデータを入力してミニホームページの申請手続きを行う。
以上の過程が終わればユーザのミニホームページを作成できる環境が設定される。
次に、ユーザが自分に合うテンプレートがあるかどうかを判定し（ステップ２０３）、テンプレートがある場合はテンプレートを選択してミニホームページを作成する（ステップ２０４）。
テンプレートがない場合はユーザが直接ミニホームページを作成する（ステップ２０５）。
以上の過程を経てミニホームページが完成されればユーザが自身のミニホームページ上で多様なコミュニティを形成して管理することができる。
また、形成したコミュニティは別途作成したＡｄｍｉｎページを通してミニホームページのコンテンツを管理できるようになる。
次に、ユーザがミニホームページに変更があるかどうかを判定し（ステップ２０６）、変更がある場合はコンテンツを追加・修正してミニホームページを更新する（ステップ２０７）。
以上の過程を経てユーザのコンテンツを自身のミニホームページを通して他のユーザに見せることができるようになる。
以上の過程が終わるとユーザが一般的なＰＣ作業ができる状態に戻る。
【図面の簡単な説明】
【００１２】
【図１】本発明を実施したコンテンツ配信システムの構成図である。
【図２】本発明を実施したコンテンツ配信システムの登録処理の流れ図である。
【図３】本発明を実施したミニホームページの作成処理の流れ図である。
【符号の説明】
【００１３】
１                インターネット
２                システムサーバ
２１              コンテンツサーバ
２２              広告サーバ
２３              統計サーバ
２４              アップデートサーバ
２５              ホームページサーバ
３                Ｗｅｂサーバ
４                ＰＣ
５                ＬＡＮ
【図１】
2006195843.tif 000003
【図２】
2006195843.tif 000004
【図３】
2006195843.tif 000005